(57)【要約】【課題】  ハードディスクから着脱可能な蓄積媒体への録画番組の移動操作を容易にする。【解決手段】  番組予約データベースに従い、指定された番組がＨＤＤ制御部１１によりハードディスクに録画される。ビデオテープには、先頭ブロックにはビデオテープの個体識別を可能にするユニークな番号が書かれ、次のブロックにジャンルが記録される。ビデオテープが装填されると、そのジャンルの情報を読み込み、同じジャンルでハードディスクに録画情報がある場合、その録画情報をそのビデオテープに追加記録する。【選択図】  図１
2004248260.tif 000002
【特許請求の範囲】
【請求項１】
第一の記録媒体を有するとともに、第二の記録媒体を着脱可能に装着する記録再生装置であって、
複数の番組の番組データと、該番組データと共に送信される前記各番組の識別情報とを入力する入力手段と、
前記入力手段により入力された前記番組データを前記第一の記録媒体に記録再生する記録再生手段と、
前記第一の記録媒体に記録された前記複数の番組の前記識別情報を夫々前記各番組データに対応付けた記録番組情報を保持する保持手段と、
前記第二の記録媒体に前記番組データを記録する記録手段と、
前記装着された前記第二の記録媒体に対して前記識別情報を設定する設定手段と、
前記保持手段より前記記録番組情報を読み出し、前記複数の番組の中から前記装着された第二の記録媒体に設定された識別情報に対応する番組を選択し、該選択された番組の番組データを前記第一の記録媒体から前記第二の記録媒体へと移動するように前記記録再生手段及び前記記録手段を制御する制御手段
とを有することを特徴とする記録再生装置。
【請求項２】
前記制御手段は、前記選択された番組の番組データを前記第二の記録媒体へと移動した後、前記第一の記録媒体に記録された前記番組データを削除することを特徴とする請求項１に記載の記録再生装置。
【請求項３】
前記識別情報は、前記番組のジャンルを示す情報であることを特徴とする請求項1または２に記載の記録再生装置。
【請求項４】
前記記録再生装置は更に、前記番組の録画予約を行う録画予約手段を有し、
前記保持手段は更に、前記録画予約手段により録画予約された番組の識別情報を保持し、
前記制御手段は、前記録画予約が完了した番組の中から前記第二の記録媒体に設定された識別情報に対応する番組を選択して、該選択された番組の番組データを前記第一の記録媒体から前記第二の記録媒体へと移動するように前記記録再生手段及び前記記録手段を制御することを特徴とする請求項１に記載の記録再生装置。
【請求項５】
前記記録再生装置は更に、前記制御手段による前記番組データの移動の実行を指示するための指示手段を有することを特徴とする請求項１に記載の記録再生装置。
【請求項６】
前記記録手段は、前記第２の記録媒体が装填されたことを検知する検知手段を有し、該検知手段が検知信号を該システム制御部に出力することにより、前記システム制御部は、該選択された番組の番組データを前記第一の記録媒体から前記第二の記録媒体へと移動するように前記記録再生手段及び前記記録手段を制御することを特徴とする請求項1に記載の記録装置。
【請求項７】
第一の記録媒体を有するとともに、第二の記録媒体を着脱可能に装着する記録再生装置を制御する方法であって、
複数の番組の番組データと、該番組データと共に送信される前記各番組の識別情報とを入力し、
前記入力された前記番組データを前記第一の記録媒体に記録再生し、
前記第一の記録媒体に記録された前記複数の番組の前記識別情報を夫々前記各番組データに対応付けた記録番組情報を保持手段に保持し、
前記装着された前記第二の記録媒体に対して前記識別情報を設定し、
前記保持手段より前記記録番組情報を読み出し、前記複数の番組の中から前記装着された第二の記録媒体に設定された識別情報に対応する番組を選択し、該選択された番組の番組データを前記第一の記録媒体から前記第二の記録媒体へと移動するように制御することを特徴とする記録再生制御方法。
【発明の詳細な説明】
【技術分野】
【０００１】
本発明は、記録再生装置及び記録再生制御方法に関し、より具体的には、デジタルテレビ放送の記録再生に適した記録再生装置及び記録再生制御方法に関する。
【背景技術】
【０００２】
デジタルテレビ放送を受信するＳＴＢ（セットトップボックス）は、受信したデジタル映像音声データをアナログ出力するのが主な役割であるが、受信したデジタル映像音声データを記録するためＳＴＢにデジタル記録媒体としてハードディスク装置を装備する構成が提案されている。
【０００３】
またデジタルテレビ放送では、放送する番組情報もトランスポート・ストリーム・パケットで送るサービスも行われており、この番組情報は、電子番組ガイド（EPG）などに応用されている。
【０００４】
さらに、特許文献１には、EPGデータと使用者の好みデータを比較して録画予約をし、さらに交換可能な記録媒体に、各記録媒体毎に記録されるデータの録画内容に共通性をもたせて管理する放送情報記録装置が開示されている。
【特許文献１】特開２０００−２８５５７６号公報
【発明の開示】
【発明が解決しようとする課題】
【０００５】
ところで、固定蓄積媒体であるハードディスクでは、容量が足りなくなった時に、引き続き蓄積を続ける場合には既に蓄積されていて不要のものを削除し容量を確保する必要がある。
【０００６】
このとき、ＳＴＢにハードディスク装置とともにデジタルＶＨＳ（Ｖｉｄｅｏ  Ｈｏｍｅ  Ｓｙｓｔｅｍ）又はＤＶＤ−ＲＡＭ（Ｄｉｇｉｔａｌ  Ｖｅｒｓａｔｉｌｅ  Ｄｉｓｃ−ＲＡＭ）などの着脱可能な蓄積媒体が接続されている場合には、蓄積情報を適宜着脱可能な蓄積媒体に移動することにより、ハードディスクの容量を確保することができる。
【０００７】
しかし、従来は着脱可能な複数の蓄積媒体に、ハードディスク装置に蓄積した番組を、番組種類別などのように整理して移動するには、複雑な操作が必要であった。
【０００８】
本発明は、ハードディスクから着脱可能な蓄積媒体への番組の移動操作を番組種類など番組情報に基づき自動的に行うことを可能とする記録再生装置及び記録再生制御方法を提示することを目的とする。
【課題を解決するための手段】
【０００９】
このような目的下において、本発明に係る記録再生装置は、第一の記録媒体を有するとともに、第二の記録媒体を着脱可能に装着する装置であって、複数の番組の番組データと、該番組データと共に送信される前記各番組の識別情報とを入力する入力手段と、前記入力手段により入力された前記番組データを前記第一の記録媒体に記録再生する記録再生手段と、前記第一の記録媒体に記録された前記複数の番組の前記識別情報を夫々前記各番組データに対応付けた記録番組情報を保持する保持手段と、前記第二の記録媒体に前記番組データを記録する記録手段と、前記装着された前記第の記録媒体に対して前記識別情報を設定する設定手段と、前記保持手段より前記記録番組情報を読み出し、前記複数の番組の中から前記装着された第二の記録媒体に設定された識別情報に対応する番組を選択し、該選択された番組の番組データを前記第一の記録媒体から前記第二の記録媒体へと移動するように前記記録再生手段及び前記記録手段を制御する制御手段とを有することを特徴とする。
【００１０】
また、本発明に係る記録再生制御方法は、第一の記録媒体を有するとともに、第二の記録媒体を着脱可能に装着する記録再生装置を制御する方法であって、複数の番組の番組データと、該番組データと共に送信される前記各番組の識別情報とを入力し、前記入力された前記番組データを前記第一の記録媒体に記録再生し、前記第一の記録媒体に記録された前記複数の番組の前記識別情報を夫々前記各番組データに対応付けた記録番組情報を保持手段に保持し、前記装着された前記第二の記録媒体に対して前記識別情報を設定し、前記保持手段より前記記録番組情報を読み出し、前記複数の番組の中から前記装着された第二の記録媒体に設定された識別情報に対応する番組を選択し、該選択された番組の番組データを前記第一の記録媒体から前記第二の記録媒体へと移動するように制御することを特徴とする。
【発明の効果】
【００１１】
本発明によれば、着脱可能な蓄積媒体に保存する番組の種類を示す識別子を設定できるようにしたので、着脱可能な蓄積媒体に番組種類ごとに整理して保存することが容易に操作できる効果がある。
【発明を実施するための最良の形態】
【００１２】
以下、図面を参照して、本発明の実施例を詳細に説明する。
【実施例１】
【００１３】
図１は、本発明の第１実施例の概略構成ブロック図である。ユーザが指示装置であるリモコン５で所望の番組のチャンネル選択を行うと、リモコン５は、赤外線発光装置（図示せず）から指示されたチャンネル番号の情報を示す赤外線信号を受光部６に送信する。受光部６は、受信した赤外線信号を解析し、リモコン５についている何れのボタン（図示せず）が押されたかを判定し、システム制御部７に通知する。システム制御部７は、指示されたチャンネルに対応する設定（受信周波数およびＰＩＤ（Ｐａｃｋｅｃｔ  Ｉｄｅｎｔｉｆｉｃａｔｉｏｎ）情報（多重化されているトランスポートストリームのうちで所望の番組の音声データと映像データに対するパケット識別子））をチューナ１およびデマルチプレクサ３に通知する。アンテナ（図示せず）によって受信されたデジタルテレビ放送信号は、入力手段である、チューナ1、復調部2、及びデマルチプレクサ3により信号処理される。チューナ１は、デジタルテレビ放送信号を受信するトランスポンダを指定し、指定されたトランスポンダに応じて先の設定情報の受信周波数帯域を選択する。チューナ１により選択されたデジタルテレビ放送信号は、復調部２に供給される。
【００１４】
復調部２は、供給された受信信号をＱＰＳＫ復調し、リード・ソロモン符号を復号化して誤りを訂正する。これにより、デジタルテレビ放送信号は、トランスポート・パケットに復元される。復元されたトランスポート・パケットはデマルチプレクサ３に供給される。デマルチプレクサ３は、復元されたトランスポート・パケットから、ユーザが選択したチャンネルのトランスポート・パケットを分離する。番組情報が含まれるセクションデータのトランスポート・パケットは、セクションデコーダ８へ供給される。映像と音声のトランスポート・パケットはデスクランブルがなされ、それぞれオーディオデコーダ４とビデオデコーダ９に供給される。
【００１５】
オーディオデコーダ４及びビデオデコーダ９は、トランスポート・パケットをＥＳ（Ｅｌｅｍｅｎｔａｒｙ  ｓｔｒｅａｍ）に変換し、それぞれ、圧縮音声データ及び圧縮映像データを得て伸張し、それぞれスピーカ（図示せず）及びディスプレイモニタ（図示せず）などの出力機器に出力する。これにより、ユーザは、受信映像と受信音声を視聴できる。
【００１６】
セクションデコーダ８は、供給された番組情報に含まれるトランスポート・パケットを解析し、図２に示すような番組の識別情報を有する番組情報を取り出し、番組情報データベースに登録する。番組情報データベースは、設定手段であるリモコン５を使ったユーザの指示により指定の日時（デフォルトは、現在時刻）におけるＥＰＧ（電子番組表）として、図６に示す表５００のように編集され、ＯＳＤ（Ｏｎ  Ｓｃｒｅｅｎ  Ｄｉｓｐｌａｙ）１５により画像化され、加算器１０でビデオデコーダからの映像に重ねられて出力装置に出力される。図３は、番組データベースの構成と内容の一例を示す。
【００１７】
ＨＤＤ制御部１１は、記録再生手段として、ハードディスクへの番組の蓄積を管理する。ＶＴＲ制御部１２は、デジタルＶＨＳへの番組の蓄積を管理する。システム制御部７は、全体を制御する。フラッシュＲＯＭ１３には本実施例の制御プログラムが保存されており、その制御プログラムは、電源投入時にメモリ１４にロードされ、実行される。また、メモリ１４は、制御プログラムの実行領域以外にも、トランスポートストリームの一時記憶、及びＥＳへ変換する時などの作業領域として使用される。
【００１８】
番組の録画予約を行う場合、ユーザは、リモコン５又はＳＴＢ本体操作パネル（図示せず）を用いて、図３に示すような番組データベース１００から作成される電子番組ガイド５００（図６参照）を表示し、リモコン５またはＳＴＢ本体操作パネルにより録画予約したい番組を電子番組ガイド５００から選択して指示する。任意の希望の番組が選択されると、番組データベース１００からその番組に対応した番組情報を取り出し、図４に示すような番組予約データベース２００に登録され、システム制御部7を構成する保持手段により保持される。この時、録画モード２１０は、標準モードか長時間モードなど、録画時のピクセルレートで予約操作で指定されたものになる。
【００１９】
図４に示す番組予約データベース２００中の、開始シリンダ２１１、開始ヘッド２１２、開始セクタ２１３、終了シリンダ２１４、終了ヘッド２１５及び終了セクタ２１６は、ハードディスクに蓄積する時の必要な情報であり、予約時には、これらには、まだ録画していないことを示す−１がセットされる。
【００２０】
システム制御部７は、ＲＴＣ（Ｒｅａｌ  Ｔｉｍｅ  Ｃｌｏｃｋ）を内蔵しており、番組予約データベース２００から放送日と開始時間を検索し、番組予約の時間になったら、ＨＤＤ制御部１１に対して録画すべき番組の録画時間（終了時間−開始時間）と録画モードを知らせ、連続に蓄積できるハードディスクの領域を確保させる。次に、システム制御部７は、チューナ設定値２２２をチューナ１に通知し、録画すべき番組のトランスポンダを設定する。前述したように、復調部２が、チューナ１において選択されたデジタルテレビ放送信号をＱＰＳＫ復調及び誤り訂正し、デマルチプレクサ３が、録画番組のチャンネルの映像と音声のトランスポート・パケットを分離する。デスクランブルされたトランスポート・パケットは、ＨＤＤ制御部１１を介してハードディスク装置に書き込まれる。番組録画が終了した時点で、開始シリンダ２１１、開始ヘッド２１２、開始セクタ２１３、終了シリンダ２１４、終了ヘッド２１５、及び終了セクタ２１６が、実際に書き込まれた値で更新される。実際の値（−１でない値）が書き込まれることで、その番組が録画されていることを示すことになる。
【００２１】
ＶＴＲ制御部は検知手段（図示さず）を有し、ビデオテープが装填されたことを検知手段が検知すると、検知信号をシステム制御部7に出力する。このとき、ＶＴＲ制御部１２は、ビデオテープの先頭の書き込まれている情報を読み出すためにビデオテープを巻き戻す。図２に示すように、ビデオテープ４００の先頭のブロックにはビデオテープ番号４０１、即ち、ビデオテープの個体識別を可能にするユニークな番号が書かれているものとする。ただし、使用しているＳＴＢに限定される番号であり、ワールドワイドでユニークな番号である必要はない。ビデオテープ番号４０１が書かれているということは、既にこのビデオテープには録画番組が保存されているか、又は保存する準備が出来ているので、ＶＴＲ制御部１２は、次のブロックのジャンル４０２を読み込み、そのビデオテープが何のジャンルの番組を保存するのかをチェックする。
【００２２】
システム制御部7は、検知信号を受信して図５に示す例のように、その時点での録画予約の情報を録画予約データベース２００から読み出し、ＯＳＤ１５を用いて表示する。図５に示す例では、リストの録画予約３００、３０１、３０２、３０３については、録画が終了していることを示すためにコラム３１０が黒字に白文字で表される。
【００２３】
ここで、システム制御部７は、ＶＴＲ制御部１２により読み出された装填されているビデオテープのジャンル情報を入力し、録画予約データベース２００に含まれる録画済みの番組の中から、そのジャンル情報に応じた番組を選択し、選択された番組をハードディスクからビデオテープへとコピーする動作を制御する。この際、例えば、ジャンル４０２が映画の場合、図５に示す録画予約データベース２００中の録画予約３０２，３０３が該当するので、ユーザに対して、図７に示すように、動作実行の指示を問うメッセージをＯＳＤ１５を用いて表示する。
【００２４】
ユーザは、リモコン５を用いて処理を選択する。「はい」の「１」が選ばれた時には、録画予約３０２，３０３に対応するハードディスクの蓄積位置を番組予約データベース２００から得て、ＨＤＤ制御部１１に知らせ、蓄積されている番組の映像データと音声データを順次、読み出す。読み出された映像データと音声データは、ＶＴＲ制御部１２に供給される。ビデオテープ４００の保存番組カウンタ４０３は、保存されている番組の数を保持する。保存番組情報４０４で最後にあるものを、ビデオテープを進め読み出す。保存番組情報４０４は、保存した時間が古い順にかかれていて、さらに保存された番組は、最後に書かれたものが最も後ろに書かれているので、最後の保存番組情報４０４に含まれる終了ブロック４１５の次のブロックが、ビデオテープの未使用部の先頭ブロックとなる。ＶＴＲ制御部１２は、この未使用部の先頭ブロックまでビデオテープを進めて、ハードディスクから読み出された映像データと音声データをビデオテープに順次、書き込んでゆく。
【００２５】
書き込みが終了した後に、テープを巻き戻し、番組カウンタ４０３を＋１し、保存番組情報４０４をそのビデオテープ位置から（保存番組情報４０４のサイズ）×（番組カウンタ４０３−１）に相当する数のブロックだけ進め、保存した番組の情報を保存番組情報４０４の各項目に設定する。
【００２６】
さらに、図８に示すメッセージを表示し、今、保存した番組をハードディスクから削除するか否かをユーザに選択させる。「１」の「はい」を選択した場合、番組予約データベース２００から対応する番組のハードディスクの蓄積場所を得て、ＨＤＤ制御部１１にその蓄積場所を未使用にするように指示し、番組予約データベース２００からその番組のデータを削除する。「０」の「いいえ」の場合には、なにもしない。
【００２７】
新しいビデオテープが装填された場合、即ち、ビデオテープ４００の先頭ブロックにテープ番号４０１が書かれていない場合、図９のメッセージを表示しユーザにどのジャンルの番組を保存するビデオテープに設定するかを選択させる。選択されたジャンルのＩＤとテープ番号を装填しているビデオテープにＶＴＲ制御部１２を介して書き込む。なお、テープ番号は、１から順に１だけインクリメントされ、１０００になったら１に戻される。
【実施例２】
【００２８】
第１実施例では、ビデオテープ４００の先頭にテープ番号４０１、ジャンル４０２、保存番組カウンタ４０３及び保存番組情報４０４を書き込んでいた。この方法では、番組を保存するたびにビデオテープを巻き戻さなくてはならなく、不都合である。第２実施例では、テープ番号のみをビデオテープにある一定間隔（例えば、１分に相当するテープ間隔）に映像と音声の記録領域外のブランク領域に書いておく（図１０中の６０１）。それ以外の情報は、図１１に示すデータ構造でフラッシュＲＯＭ１３に保存しておく。図１１において、７００はフラッシュＲＯＭ１３に保存してあるビデオテープの情報データベースである。７０１は、登録してあるビデオテープの数がセットされているテープカウンタである。７０２は、各ビデオテープの情報を保存してあるビデオテープ情報レコードであり、テープカウンタ７０１の値の個数だけ有効である。ビデオテープ情報レコード７０２は、そのビデオテープに保存する番組の種類を示すジャンル７１１、保存してある番組の数を示す保存番組カウンタ７１２、及び保存してある番組の情報をセットされている保存番組情報７１３からなる。さらに、保存番組情報７１３は、録画モード７２１、ビデオテープの録画開始ブロック７２１、終了ブロック７２３、放送日７２４、録画開始時間７２５、録画終了時間７２６、チャンネル７２７及び番組名７２８からなる。
【００２９】
ＶＴＲ制御部１２は、ビデオテープが装填されたことを検知すると、前後に１分程度、巻き戻しを行い、テープ番号がかかれているかどうかをチェックする。テープ番号６０１を検出した場合、テープ番号６０１に対応する保存番組情報（第１実施例でビデオテープの先頭に書かれていた情報と同じ情報）をフラッシュメモリ１３から読み出す。他の動作については第１実施例と同様である。
【図面の簡単な説明】
【００３０】
【図１】本発明の一実施例の概略構成ブロック図である。
【図２】ビデオテープの構成図である。
【図３】番組情報データベースの構造図である。
【図４】番組予約データベースの構造図である。
【図５】番組予約表示例である。
【図６】ＥＰＧ表示例である。
【図７】ハードディスクからビデオテープに番組をコピーするときの確認メッセージである。
【図８】ハードディスクに蓄積してある番組を削除するときの確認メッセージである。
【図９】新規ビデオテープを初期化するときの選択メッセージである。
【図１０】第２実施例におけるビデオテープの構造である。
【図１１】第２実施例におけるフラッシュＲＯＭ内に保存されるビデオテープの情報データベースである。
【符号の説明】
【００３１】
１：チューナ
２：復調部
３：デマルチプレクサ
４：オーディオデコーダ
５：リモコン
６：受光部
７：システム制御部
８：セクションデコーダ
９：ビデオデコーダ
１０：加算機
１１：ＨＤＤ制御部
１２：ＶＴＲ制御部
１３：フラッシュＲＯＭ
１４：メモリ
１５：ＯＳＤ
１００：番組情報データベース
１０１：登録件数
１０２：番組情報レコード
１１０：放送日
１１１：開始時間
１１２：終了時間
１１３：チャンネル
１１４：番組名
１１５：チューナ設定値
１１６：映像データＰＩＤ
１１７：音声データＰＩＤ
１１８：ジャンル
１１９：ジャンル２
１２０：ジャンル３
１２１：番組説明
２００：番組予約データベース
２０１：登録件数
２０２：番組予約レコード
２１０：録画モード
２１１：開始シリンダ
２１２：開始ヘッド
２１３：開始セクタ
２１４：終了シリンダ
２１５：終了ヘッド
２１６：終了セクタ
２１７：放送日
２１８：開始時間
２１９：終了時間
２２０：チャンネル
２２１：番組名
２２２：チューナ設定値
２２３：映像データＰＩＤ
２２４：音声データＰＩＤ
２２５：ジャンル
２２６：ジャンル２
２２７：ジャンル３
２２８：番組説明
３００：予約番組情報
３１０：予約番組番号
３１１：チャンネル
３１２：放送日
３１３：開始時間
３１４：終了時間
３１５：番組名
３１６：ジャンル
３１７：録画時間
３１８：録画モード
４００：ビデオテープ
４０１：テープ番号
４０２：ジャンル
４０３：保存番組カウンタ
４０４：保存番組情報
４１０：録画モード
４１１：開始ブロック
４１２：終了ブロック
４１３：放送日
４１４：開始時間
４１５：終了時間
４１６：チャンネル
４１７：番組名
５００：ＥＰＧ表示例
６００：ビデオテープ
６０１：テープ番号
７００：ビデオテープの情報データベース
７０１：テープカウンタ
７０２：ビデオテープ情報レコード
７１１：ジャンル
７１２：保存番組カウンタ
７１３：保存番組情報
７２１：録画モード
７２２：開始ブロック
７２３：終了ブロック
７２４：放送日
７２５：開始時間
７２６：終了時間
７２７：チャンネル
７２８：番組名
【図１】
2004248260.tif 000003
【図２】
2004248260.tif 000004
【図３】
2004248260.tif 000005
【図４】
2004248260.tif 000006
【図５】
2004248260.tif 000007
【図６】
2004248260.tif 000008
【図７】
2004248260.tif 000009
【図８】
2004248260.tif 000010
【図９】
2004248260.tif 000011
【図１０】
2004248260.tif 000012
【図１１】
2004248260.tif 000013